(57)【特許請求の範囲】
【請求項１】
空気を給排気する空気給排装置を備えたエアマッサージ機の適所に設けた人体施療部位を施療するための施療部に配設されると共に、空気給排装置に接続するエアホースの先端と連結するための単一の給排気口部と、空気の給排気により膨張及び収縮を繰り返して膨縮動作を行う膨縮部と、給排気口部及び膨縮部とが互いに通気するための管状の通気部と、通気部の長さ方向に通気部と一体的に形成すると共に、内部空間を有さず非膨縮である面状の非膨縮部とを設けた膨縮袋であって、非膨縮部を人体施療部位側の通気部の壁面に一体形成し、人体施療部位側とは逆の前記通気部の壁面に通気部の長さ方向において断面視凸状に隆起する凸状隆起部を連続して形成した事を特徴とする膨縮袋。
【請求項２】
前記施療部が人体施療部位を挟持して施療する事を可能とする、該施療部に配設されると共に、前記膨縮部を複数備え、膨張した膨縮部が互いに対向するように形成した事を特徴とする請求項１記載の膨縮袋。
【請求項３】
請求項１乃至２に記載の膨縮袋を設けたことを特徴とするエアマッサージ機。
【発明の詳細な説明】
【技術分野】
【０００１】
本発明は、エアマッサージ機の適所に設けた施療部に配設されると共に、空気給排装置による空気の給排気により膨張及び収縮を繰り返す膨縮動作によって、人体施療部位を施療するための膨縮袋に関するものである。
【背景技術】
【０００２】
従来より、空気給排装置における空気の給排気により膨縮動作を行わせて人体施療部位をマッサージするための膨縮袋は、例えばベッド型や椅子型等のエアマッサージ機の適所に設けられた施療部に配設して使用されている。該施療部は、例えば、平坦状または湾曲状、さらにはＬ字状や凹状（溝状）をした形状があり、一般的に平坦状の施療部では一方向に押す押圧マッサージを、湾曲または凹状の施療部においては両側から挟む挟圧マッサージを目的として取り付けられている。また、最近では、比較的安価で耐久性のあるブロー成形等の立体成形による膨縮袋がよく使用される。
【０００３】
そのような立体成形による膨縮袋の従来例として、図１６及び図１７に示す膨縮袋２０は、ポリエチレン系樹脂等の２枚のシート２１および２２を縁２５において溶着して貼り合わせたブロー成形によるものであり、空気給排装置（図示せず）に接続するホース状のエアホース４８の先端と通気連結するための単一の給排気口部３０と、厚さ方向において凸状に湾曲した左右に夫々形成する膨縮部２７・２７と、給排気口部３０と膨縮部２７・２７とが互いに通気するための通気部２０ｃとを設けて構成している。この単一の給排気口部３０からの給排気により、左右の膨縮部２７・２７は同時期に膨縮するようにしている。
【０００４】
さらに、前記膨縮部２７・２７及び通気部２０ｃの周部に形成する前記縁２５のさらに外側の周部には、非膨縮であり内部空間を有さない面状の非膨縮部２６が形成されている。該非膨縮部２６は、膨縮袋２０の側面視中間に位置している。
【０００５】
この膨縮袋２０は、図１８に示すような、椅子の背凭れ部２の前面平坦状の施療部において、前記膨縮部２７・２７が左右に位置するように配設し、この左右の膨縮部２７・２７が膨縮作用を繰り返す事により、人体施療部位である背中または腰部の左右両側に対して押圧マッサージを行わせるようにしている。（従来技術文献１）
【０００６】
さらに従来例として図１９は、膨縮袋を凹状（溝状）の施療部に設ける構成を示しており、本体ケース１０の左右に、施療部１２・１２を設け、各施療部１２の左右の壁部１４・１４に膨縮袋２０・２０を夫々配し、これら膨縮袋２０・２０はエアホース２６・２６と夫々通気連結して構成している。
【０００７】
この施療部１２に人体腕部や脚部等の肢体を挿入載置して、左右の壁部１４・１４に配する膨縮袋２０・２０を同時期に膨縮させる事で挟圧マッサージを行わせるようにしている。（従来技術文献２）
【特許文献１】特開2002-65787号公報（第９頁、図１、図２、図４）
【特許文献２】特開2001-095868号公報（第８頁、図３）
【発明の開示】
【発明が解決しようとする課題】
【０００８】
ところで、従来技術文献１のような膨縮袋の構成では、単一の給排気口部及びエアホースにより左右にある複数の膨縮部を同時期に膨縮させる事ができるが、凹状である施療部の形状に沿うように膨縮袋を湾曲させる場合には問題が生じる。すなわち図２０に示すが、凹状である施療部２の形状に沿うように膨縮袋２０を湾曲変形し、挟圧マッサージが実施できるよう左右の膨縮部２７・２７が対向するよう設ける場合、非膨縮部２６は膨縮袋２０の側面視中間に位置するように形成され、また、非膨縮部２６よりも通気部２０ｃの壁面３５の方が、人体施療部位Ｍ側に位置するため、湾曲変形により該壁面３５に力が集中し、撓みが生じる事になる。その結果、通気部２０ｃの内部空間を狭めてしまい、膨縮部２７・２７への通気を悪化させてしまう事が考えられていた。
【０００９】
また、このような問題点は従来技術文献２のように、各膨縮部に対して夫々にエアホースを連結すれば、解決する事ができるのだが、膨縮部の数に対応した数のエアホースを用いる必要があり、エアホースの配管や取り付け作業を複雑にさせてしまうという問題があった。
【００１０】
そこで本発明は、上記問題点を解消する為に成されたものであり、エアマッサージ機の適所に設けた人体施療部位を施療するための施療部に配設されると共に、単一の給排気口部及びエアホースにより複数の膨縮部を膨縮させる事が可能であると共に、湾曲または屈曲するような施療部の形状に沿うように変形させても、通気部に生じる撓みを可及的に抑える事により、通気部の内部空間を確保する事ができる膨縮袋を提供する事を目的とするものである。
【課題を解決するための手段】
【００１１】
すなわち、本発明の膨縮袋は、空気を給排気する空気給排装置を備えたエアマッサージ機の適所に設けた人体施療部位を施療するための施療部に配設されると共に、空気給排装置に接続するエアホースの先端と連結するための単一の給排気口部と、空気の給排気により膨張及び収縮を繰り返して膨縮動作を行う膨縮部と、給排気口部及び膨縮部とが互いに通気するための管状の通気部と、通気部の長さ方向に通気部と一体的に形成すると共に、内部空間を有さず非膨縮である面状の非膨縮部とを設けた膨縮袋であって、非膨縮部を人体施療部位側である通気部の壁面に一体形成し、人体施療部位側とは逆の前記通気部の壁面に、通気部の長さ方向において断面視凸状に隆起する凸状隆起部を連続して形成したものである。
【００１２】
また、本発明の膨縮袋は、前記施療部が人体施療部位を挟持して施療する事を可能とする、該施療部に配設されると共に、前記膨縮部を複数備え、膨張した膨縮部が互いに対向するように形成したものである。
【発明の効果】
【００１４】
よって本発明の膨縮袋は、非膨縮部を人体施療部位側である通気部の壁面に一体形成したものである為、施療部の形状に沿うように膨縮袋を湾曲または屈曲するように変形させても、力が集中して撓みが生じやすい人体施療部位側である通気部の壁面が非膨縮部によって補強されるので、撓みによって通気部の内部空間が狭められて通気の悪化を招くのを可及的に防止し、常時通気部の内部空間を確保した状態を保つ事ができる。
【００１５】
また、本発明の膨縮袋は、前記施療部が人体施療部位を挟持して施療する事を可能とする施療部に配設されると共に、前記膨縮部を複数備え、膨張した膨縮部が互いに対向するように形成したものである為、そのような施療部において、対向する膨縮部による効果的な挟圧マッサージを実施する事が可能となる。
【００１６】
更に、本発明の膨縮袋は、人体施療部位側とは逆の前記通気部の壁面に、通気部の長さ方向において断面視凸状に隆起する凸状隆起部を連続して形成したものである為、通気部が湾曲する場合に、人体施療部位側である通気部の壁面が非膨縮部によって補強されるため、人体施療部位側とは逆の通気部の壁面が伸張して通気部の内部空間が僅かに減少してしまうが、その減少する空間分を、凸状隆起部を形成する事により補うと共に、通気部の壁面の伸張による型崩れを可及的に防止する事ができる。
【発明を実施するための最良の形態】
【００１７】
以下に、本発明の膨縮袋を、図面に示す一実施形態に基づきこれを詳細に説明する。
図１乃至図３は本発明の膨縮袋の一実施形態を示す斜視図であり、図４乃至図８は本発明の膨縮袋の一実施形態を示す縦断面図であり、図９乃至図１３は、本発明の膨縮袋の膨縮動作の一実施形態を示す断面説明図であり、図１４は、本発明の膨縮袋をエアマッサージ機に配設した一実施形態を示す斜視図であり、図１５は使用状態の一実施形態を示す斜視図である。図１６乃至図２０は従来技術を示す参考図である。
【００１８】
すなわち、図１及び図４に示す本発明の膨縮袋３ａは、図１４に示すような椅子型のエアマッサージ機１ａの適所に設けた人体施療部位を施療するための施療部２ａに配設して、人体施療部位を施療するために使用されるものであり、軟質樹脂を材質としてブロー成形等の立体成形によって形成している。
【００１９】
また、膨縮袋３ａは、前記エアマッサージ機１ａの座部１１ａの下部空間に配設し、空気を給排気する動力源を備えた空気給排装置４ａから、エアホース５ａを介して空気の給排気により膨張及び収縮を繰り返して膨縮動作を行わせるよう、膨縮部３３ａを備えたものである。
【００２０】
前記膨縮部３３ａは図５に示すように、断面視において連続した凹凸形状となっている。したがって膨張する場合、この凹凸形状が伸張して、非膨張時の容積よりも大きくなるので、この凹凸形状を形成する事により膨張度を高める事ができる。該膨縮部３３ａが膨張する事により、人体施療部位Ｍを押圧し、膨縮動作を繰り返す事により押圧マッサージを行うようにする。
【００２１】
前記空気給排装置４ａと接続する前記エアホース５ａは図１に示すように、その他端である先端を膨縮袋３ａの適所に設けた単一の給排気口部３１ａと空気漏れのないよう連結している。このエアホース５ａの先端と給排気口部３１ａとの連結は、図示しないが連結接続部品を介して行ってもよく、更に該連結接続部品は、膨縮袋３ａのエアマッサージ機１ａへの取り付ける形態に応じて変形自在であったり、または変形されたものであったりしてもよい。
【００２２】
また、前記給排気口部３１ａから前記膨縮部３３ａへ空気が供給されるよう、給排気口部３１ａと膨縮部３３ａとが互いに通気するための管状の通気部３２ａを設けている。
【００２３】
さらに、前記通気部３２ａの長さ方向において、該通気部３２ａと一体的に形成すると共に、空気の給排気に影響されず内部空間を有さない、非膨縮である面状の非膨縮部３４ａを形成している。
【００２４】
前記非膨縮部３４ａの適所には、膨縮袋３ａを前記施療部２ａに止着するための止着孔３７ａを穿設しており、図７に示すようにしてビス等の止着部材３８ａにより、止着方向が人体施療部位Ｍ側になるように止着している。
【００２５】
尚、図８は別の形態の止着方法を示しており、前記止着部材３８ａのための止着凹部を非膨縮部３４ａに設け、止着方向が人体施療部位Ｍ側の逆になるように止着している。
【００２６】
上記のような構成である本発明の膨縮袋３ａは、図５に示すように、前記非膨縮部３４ａを、人体施療部位Ｍ側である前記通気部３２ａの壁面３５ａに一体形成するようにしている。
【００２７】
この構成により膨縮袋３ａは、図９に示すように、湾曲または屈曲するような平坦ではない施療部２ａの形状に沿うように変形させて取り付けても、力が集中して撓みが生じやすい壁面３５ａが非膨縮部３４ａによって補強されるので、通気部３２ａの内部空間を常時確保する事ができるのである。
【００２８】
さらに、図２に示す本発明の膨縮袋３ａの構成は、左右一対として設けられた前記膨縮部３３ａ・３３ａの間に、前記通気部３２ａ及び前記非膨縮部３４ａを形成したものである。
【００２９】
この構成による膨縮袋３ａは、例えばエアマッサージ機１ａの施療部２ａが、人体施療部位Ｍを挟持して施療する事を可能とする場合に使用する事ができる。すなわち図１０に示すように、平坦な形状の施療部２ａの表面に、膨縮袋３ａの中央に形成する非膨縮部３４ａを前記止着部材３８ａにより止着した状態で、左右一対の前記膨縮部３３ａ・３３ａを膨張させると、該膨縮部３３ａ・３３ａは互いに対向する方向に膨張するため、膨縮動作を繰り返す事によって人体施療部位Ｍを挟持しつつ、左右からの効果的な挟圧マッサージを行う事ができる。この膨縮動作に伴って、僅かながら通気部３２ａも湾曲する事になるが、前述したように力が集中して撓みが生じやすい人体施療部位Ｍ側である前記通気部３２ａの壁面３５ａが、非膨縮部３４ａによって補強されている。
【００３０】
また、図１１に示すのは、略Ｌ字状の施療部２ａの場合に、各壁面２１ａ・２１ａに前記膨縮部３３ａ・３３ａが夫々位置するように膨縮袋３ａを屈曲して取り付け、膨縮動作を行わせる形態であるが、該膨縮部３３ａ・３３ａは互いに対向する方向に膨張するため、膨縮動作を繰り返す事によって人体施療部位Ｍを挟持しつつ、効果的に挟圧マッサージを行う事ができる。この施療部２ａは略Ｌ字状に形成しているため、前述した平坦な形状の施療部よりも挟圧マッサージ効果を高める事ができる。
【００３１】
更に、図１２に示すように、凹状の施療部２ａであれば、互いに対向する壁面２１ａ・２１ａに前記膨縮部３３ａ・３３ａを夫々位置するように膨縮袋３ａを取り付けて膨縮動作を行う事により、略Ｌ字状の施療部よりもさらに挟圧性の高い挟圧マッサージを実施する事ができる。
【００３２】
尚、これらの略Ｌ字状または凹状の施療部２ａの形状に沿うように膨縮袋３ａを変形させても、前述したように非膨縮部３４ａによって前記通気部３２ａの撓みは生じない。
【００３３】
前記凹状の施療部２ａにおいて、図１３に示すように、対向する壁面２１ａ・２１ａに前記膨縮部３３ａ・３３ａを夫々位置するようにすると共に、施療部２ａの底部にある底面２２ａにも膨縮部３３ａが位置するように膨縮袋３ａを形成する事も可能である。これら３つの膨縮袋３ａは互いに前記通気部３２ａにより連通している。単一の給排気口部３１ａは図示しないが適所に通気部３２ａと通気するように設けている。これらの膨縮袋３ａを膨張させると、互いに対向する方向に膨張するため、膨縮動作を繰り返す事によって人体施療部位Ｍの周部にわたる効果的な挟圧マッサージを行う事ができる。
【００３４】
また、本発明の膨縮袋３ａは、図３及び図６に示すように、前記膨縮部３３ａの人体施療部位側とは逆の前記通気部３２ａの壁面３５ａに、通気部３２ａの長さ方向において断面視凸状に隆起する凸状隆起部３６ａを連続して形成するものである。該凸状隆起部３６ａは、内部空間を存しており、通気部３２ａの内部空間と同化している。
【００３５】
前記凸状隆起部３６ａを形成した前記膨縮袋３ａを、湾曲または屈曲状等の施療部の形状に沿うように変形する場合、人体施療部位側である通気部３２ａの壁面３５ａが非膨縮部３４ａによって補強されるため、膨縮部３３ａの人体施療部位側とは逆の通気部３２ａの壁面３５ａが伸張して通気部３２ａの内部空間を僅かに減少する事になる。例えば、図１１に示すように、屈曲した膨縮袋３ａの直線状の直線通気部幅Ｗ１と、湾曲して変形する湾曲通気部幅Ｗ２とを比較すると、直線通気部幅Ｗ１よりも湾曲通気部幅Ｗ２の方が若干小さくなり、その分湾曲状態の通気部３２ａの内部空間を減少させてしまい、僅かながら通気性を低める事になる。
【００３６】
しかしながら、前記凸状隆起部３６ａの内部空間によって、通気部３２ａの内部空間の減少分を補うようにする事ができる。さらには、通気部３２ａの壁面の伸張による型崩れを可及的に防止する事ができる。
【００３７】
前述した本発明の膨縮袋３ａは、図１４に示すように、前述した椅子型のエアマッサージ機１ａのあらゆる箇所に取り付ける事ができる。
【００３８】
この椅子型のエアマッサージ機１ａは、前記座部１１ａの後方に設けた起倒可能な背凭れ部１２ａと、座部１１ａの前方に出没可能に設けた脛載せ部１３ａと、該脛載せ部１３ａの下端に前後回動可能に枢着する足先載せ部１４ａと、座部１１ａの左右両側に設けた肘掛け部１５ａにより構成されるものであるが、図１５に示すように、使用者が着座した姿勢で施療を受けるようにしている。尚、背凭れ部１２ａの内部には、人体施療部位に対して揉み・叩き・さすり・ローリング等の施療が可能な左右一対の施療子１２２ａを設けた昇降移動する施療機構を設けている。
【００３９】
前記座部１１ａの前方には、平坦状の施療部２ａに、人体大腿部の前側（細い部分）を挟圧マッサージするための膨縮袋３ａを配設している。該膨縮袋３ａは、４つの前記膨縮部３３ａを設けると共に、それら全てが連通するよう前記非膨縮部３４ａを一体的に形成する前記通気部３２ａを形成している。
【００４０】
更に、前記座部１１ａの後方には、左右両側に設けた略Ｌ字状の施療部２ａに、人体大腿部の後側（太い部分）を挟圧マッサージするための膨縮袋３ａを夫々配設している。該各膨縮袋３ａは、２つの前記膨縮部３３ａを設けてなるが、一方の膨縮部３３ａを座部１１ａの表面側に、他方を前記肘掛け部１５ａの内側に位置するようにして取り付けられている。
【００４１】
前記背凭れ部１２ａの中間左右両側に、略Ｌ字状の施療部２ａを夫々設け、人体の上腕付近を挟圧マッサージするための膨縮袋３ａを夫々配設している。該各膨縮袋３ａは、２つの前記膨縮部３３ａを設けてなるが、一方の膨縮部３３ａを背凭れ部１２ａの表面側に、他方を背凭れ部１２ａの左右両側から前方へ突設している突起体１２１ａの内側に位置するようにして取り付けられている。
【００４２】
また、前記背凭れ部１２ａの下部には、平坦状の施療部２ａを設けており、該施療部２ａには、人体の腰部を左右から挟圧マッサージするための前記膨縮部３３ａを左右に形成する膨縮袋３ａを配設している。
【００４３】
前記脛載せ部１３ａには、左右に凹状の施療部２ａを夫々設けており、人体脛部を挟圧マッサージするための膨縮袋３ａを一つの施療部２ａにつき、２つの膨縮袋３ａを縦設している。該膨縮袋３ａは、２つの対向する膨縮部３３ａを設けている。
【００４４】
前記足先載せ部１４ａは、人体足先部を挟圧マッサージするための膨縮袋３ａを内部に設けた凹状の施療部２ａを左右に夫々設けている。
【００４５】
また前記肘掛け部１５ａの左右上方において、人体前腕を挟圧マッサージする膨縮袋３ａを内部に設けた凹状（コの字状）の施療部２ａに夫々設けている。該膨縮袋３ａに形成する上下一対の膨縮部３３ａによって、人体前腕を上下方向において挟圧マッサージを行う。
【００４６】
このように、膨縮袋３ａは、前記椅子型のエアマッサージ機１ａの様々な箇所に設けた施療部２ａの形状に応じて、前記膨縮部３３ａの数や膨縮袋３ａの形態を設定するようにしている。
【００４７】
尚、前記椅子型のエアマッサージ機１ａに設けられた各凹状の施療部２ａは、前述した図１３に示すような対向する各壁面２１ａと、底面２２ａに膨縮部３３ａを夫々位置するように形成したものであってもよい。また、図９に示したような膨縮部３３ａが単一の膨縮袋３ａを備えたものであってもよい。
【図面の簡単な説明】
【００４８】
【図１】本発明の膨縮袋の一実施形態を示す斜視図である。
【図２】本発明の膨縮袋の一実施形態を示す斜視図である。
【図３】本発明の膨縮袋の一実施形態を示す斜視図である。
【図４】本発明の膨縮袋の一実施形態を示す縦断面図である。
【図５】本発明の膨縮袋の一実施形態を示す縦断面図である。
【図６】本発明の膨縮袋の一実施形態を示す縦断面図である。
【図７】本発明の膨縮袋の一実施形態を示す縦断面図である。
【図８】本発明の膨縮袋の一実施形態を示す縦断面図である。
【図９】本発明の膨縮袋の膨縮動作の一実施形態を示す断面説明図である。
【図１０】本発明の膨縮袋の膨縮動作の一実施形態を示す断面説明図である。
【図１１】本発明の膨縮袋の膨縮動作の一実施形態を示す断面説明図である。
【図１２】本発明の膨縮袋の膨縮動作の一実施形態を示す断面説明図である。
【図１３】本発明の膨縮袋の膨縮動作の一実施形態を示す断面説明図である。
【図１４】本発明の膨縮袋をエアマッサージ機に配設した一実施形態を示す斜視図である。
【図１５】使用状態の一実施形態を示す斜視図である。
【図１６】従来技術を示す参考図である。
【図１７】従来技術を示す参考図である。
【図１８】従来技術を示す参考図である。
【図１９】従来技術を示す参考図である。
【図２０】従来技術を示す参考図である。
【符号の説明】
【００４９】
１ａ  エアマッサージ機
１１ａ  座部
１２ａ  背凭れ部
１２１ａ  突起体
１２２ａ  施療子
１３ａ  脛載せ部
１４ａ  足先載せ部
１５ａ  肘掛け部
２ａ  施療部
２１ａ  壁面
２２ａ  底面
３ａ  膨縮袋
３１ａ  給排気口部
３２ａ  通気部
３３ａ  膨縮部
３４ａ  非膨縮部
３５ａ  壁面
３６ａ  凸状隆起部
３７ａ  止着孔
３８ａ  止着部材
３９ａ  止着凹部
４ａ  空気給排装置
５ａ  エアホース
Ｍ  人体施療部位
Ｗ１  直線通気部幅
Ｗ２  湾曲通気部幅
２  施療部
３  膨縮袋
３１  給排気口部
３２  通気部
３３  膨縮部
３４  非膨縮部
３５  壁面
５  エアホース                                                                
【図１】
0004749872.tif 000002
【図２】
0004749872.tif 000003
【図３】
0004749872.tif 000004
【図４】
0004749872.tif 000005
【図５】
0004749872.tif 000006
【図６】
0004749872.tif 000007
【図７】
0004749872.tif 000008
【図８】
0004749872.tif 000009
【図９】
0004749872.tif 000010
【図１０】
0004749872.tif 000011
【図１１】
0004749872.tif 000012
【図１２】
0004749872.tif 000013
【図１３】
0004749872.tif 000014
【図１４】
0004749872.tif 000015
【図１５】
0004749872.tif 000016
【図１６】
0004749872.tif 000017
【図１７】
0004749872.tif 000018
【図１８】
0004749872.tif 000019
【図１９】
0004749872.tif 000020
【図２０】
0004749872.tif 000021